(57)【特許請求の範囲】
【請求項１】
棒状の導光体と、基板上に配設され、当該導光体の長手方向における端面に対向して配置された発光素子と、前記発光素子から放射される光を前記導光体の端面に集光する反射部材とを備える線状光源装置において、
前記反射部材は、前記発光素子に接近して位置する基端から前記導光体に接近して位置する先端に向かうに従って拡径するテーパー状の反射面を有し、
前記反射部材は、金属板を絞り加工することによって形成されたものであって、内面が前記反射面である反射面形成部および当該反射面形成部の先端に連続して伸びる板状の鍔部よりなるものであり、
前記反射部材は、当該反射部材の基端側に配置された保持部材と、当該反射部材の先端側に配置された押さえ部材との間に当該反射部材の鍔部が挟持された状態で基板に対して固定して配設されており、
前記保持部材には、当該保持部材に対する前記反射部材の変位を防止する係合部、および、当該保持部材に対する前記押さえ部材の変位を防止する係合部が形成されていることを特徴とする線状光源装置。
【請求項２】
前記保持部材および前記押さえ部材の少なくとも一方に、迷光漏洩防止用の遮光部が形成されていることを特徴とする請求項１に記載の線状光源装置。
【請求項３】
前記保持部材と、前記反射部材と、前記押さえ部材とは、共通のネジによってそれぞれが貫通されることにより固定されていることを特徴とする請求項１または請求項２に記載の線状光源装置。
【請求項４】
前記保持部材および前記押さえ部材は、それぞれ、黒色の樹脂材料により形成されていることを特徴とする請求項１〜請求項３のいずれかに記載の線状光源装置。
【発明の詳細な説明】
【技術分野】
【０００１】
本発明は、ファクシミリ、複写機、スキャナなどの機器に使用される原稿読取用の線状光源装置に関する。
【背景技術】
【０００２】
ファクシミリ、複写機、スキャナなどの画像読取装置は、原稿面からの反射光によって原稿面の文字・画像情報を読み取る原稿読取装置を有し、この原稿読取装置には、原稿面に光を照射するために主走査方向に伸びる線状の光を放射する線状光源装置が搭載されている。
図１１は、従来の原稿読取装置の一例における構成を示す説明用断面図である。この原稿読取装置は、原稿面７１の下部に、主走査方向（図１１において紙面に垂直な方向）に伸びる線状光源装置７０と、当該線状光源装置７０からの放射光を反射する、主走査方向に伸びる反射面７２を備えた反射鏡７３とが備えられたものである。
【０００３】
この線状光源装置７０は、図１２にも示されるように、例えばアクリル樹脂などの透光性樹脂よりなる棒状の導光体８０を有し、当該導光体８０の一端面８０Ａに対向するようＬＥＤ光源などよりなる発光素子８７が配置されてなる。具体的には、表面に配線（図示省略）が形成された基板８６が、導光体８０の一端面８０Ａに対向するよう配置され、この基板８６の表面上に発光素子８７が配置されている。
そして、基板８６の表面上には、基板８６から導光体８０に向かうに従って拡径するテーパー状の反射面９２を内周面に有する筒状の反射部材９０が、当該反射面９２が発光素子８７と導光体８０との間の光路を包囲するよう配置されている。
【０００４】
導光体８０には、その長手方向に垂直な断面における外周輪郭が円弧状の光出射面８１が、当該導光体８０の長手方向に沿って形成されている。また、この光出射面８１に対向する周面には、互いに異なる方向に光を反射する２つの微小プリズム群８４ａ、８４ｂが形成されている。
【０００５】
このような線状光源装置７０においては、発光素子８７から放射された光が、発光素子８７と導光体８０との間の光路を介して直接または反射部材９０の反射面９２に反射されながら、導光体８０の一端面８０Ａから当該導光体８０内に入射される。導光体８０に入射された光は、当該導光体８０によってその周面に反射されながら当該導光体８０の長手方向に導かれると共に、微小プリズム群８４ａ、８４ｂによって光出射面８１に向かって反射され、この反射光が導光体８０の光出射面８１から出射され、直接または反射鏡７３の反射面７２を介して、原稿面７１に照射される。
【０００６】
このような線状光源装置７０の反射部材９０は、発光素子８７の発熱を効率よく排熱するため、熱伝導率の高い例えばアルミニウムなどよりなる金属ブロックを基材とし、切削加工のような機械加工によって内面に反射面９２が形成されたものが用いられている（特許文献１参照。）。
【０００７】
そのため、反射部材９０の反射面９２の表面粗さは切削加工の加工精度に依存する。しかしながら、切削加工を用いると反射部材９０の表面粗さに大きな固体差が生じる結果、反射部材９０の反射面９２の鏡面性に固体差が生じる。結局、最終的に導光体８０を介して放射される光が、線状光源装置７０毎にバラツキのあるものとなる、という問題がある。また、一つの導光体８０の両端面に反射部材９０および発光素子８７が各々配置された構成を有する線状光源装置である場合、２つの反射部材９０，９０間の反射面９２，９２間の鏡面性に差を有すると、長手方向の光の配向性が所期のものにならない、という問題もある。
【先行技術文献】
【特許文献】
【０００８】
【特許文献１】特開２０１１−２５３６９９号公報
【発明の概要】
【発明が解決しようとする課題】
【０００９】
本発明は、以上のような事情に基づいてなされたものであり、その目的は、反射部材の反射面の鏡面性に固体差が生じることが抑制され、かつ、当該反射部材の変形やこれに伴う位置ズレが抑制されて、線状光源装置間の照度のバラツキが抑制された線状光源装置を提供することにある。
【課題を解決するための手段】
【００１０】
本発明の線状光源装置は、棒状の導光体と、基板上に配設され、当該導光体の長手方向における端面に対向して配置された発光素子と、前記発光素子から放射される光を前記導光体の端面に集光する反射部材とを備える線状光源装置において、
前記反射部材は、前記発光素子に接近して位置する基端から前記導光体に接近して位置する先端に向かうに従って拡径するテーパー状の反射面を有し、
前記反射部材は、金属板を絞り加工することによって形成されたものであって、内面が前記反射面である反射面形成部および当該反射面形成部の先端に連続して伸びる板状の鍔部よりなるものであり、
前記反射部材は、当該反射部材の基端側に配置された保持部材と、当該反射部材の先端側に配置された押さえ部材との間に当該反射部材の鍔部が挟持された状態で基板に対して固定して配設されており、
前記保持部材には、当該保持部材に対する前記反射部材の変位を防止する係合部、および、当該保持部材に対する前記押さえ部材の変位を防止する係合部が形成されていることを特徴とする。
【００１３】
本発明の線状光源装置においては、前記保持部材および前記押さえ部材の少なくとも一方に、迷光漏洩防止用の遮光部が形成されていることが好ましい。
【００１４】
本発明の線状光源装置においては、前記保持部材と、前記反射部材と、前記押さえ部材とは、共通のネジによってそれぞれが貫通されることにより固定されていることが好ましい。
【００１５】
本発明の線状光源装置においては、前記保持部材および前記押さえ部材は、それぞれ、黒色の樹脂材料により形成されていることが好ましい。
【発明の効果】
【００１６】
本発明の線状光源装置によれば、反射部材が絞り加工によって形成されているために、反射部材の反射面の鏡面性に固体差が生じることが抑制される。しかも、反射部材の鍔部が保持部材と押さえ部材との間に挟持された状態で当該反射部材が固定されているので、当該反射部材を大きな接触面積で押さえることができて大きな摩擦抵抗が得られる。従って、当該反射部材の変形やこれに伴う位置ズレを抑制することができて、反射部材の鏡面状態などの所期の光学性能が損なわれることが防止され、その結果、線状光源装置間の照度のバラツキを抑制することができる。
なお、絞り加工で形成された反射部材は、肉薄のものとなるため、ネジ止めすることによる変形やこれに伴う位置ズレが発生しやすい。具体的には、絞り加工で形成された反射部材をネジ止めすると、ネジと反射部材との接触面積はネジの頭部座面のみとなるので、ネジで締結する際の軸力により反射部材に過大な応力が加わってこれが屈曲してしまい、塑性変形が生じてしまう。さらに、温度変化、外部からの振動などの応力の変化や条件によっては、反射部材の塑性変形が進行してネジの締結力が損なわれてしまい、ネジが外れるおそれもある。このような変形や位置ズレが生じることによって、反射部材の鏡面状態に歪みが生じ、反射部材の鏡面性の固体差が大きくなってしまう。
【００１７】
本発明の線状光源装置によれば、さらに、保持部材に当該保持部材に対する反射部材の変位を防止する係合部や、押さえ部材の変位を防止する係合部が形成されていることによって、反射部材や押さえ部材の位置ズレをより抑制することができる。従って、より高い位置精度で反射部材を配置させることができる。特に、保持部材に対して押さえ部材をネジ止めする場合に、これらの間に挟持される反射部材の回転が防止されるので、反射部材の鏡面状態などの所期の光学性能が損なわれることが防止される。その結果、線状光源装置間の照度のバラツキをより抑制することができる。
【００１８】
本発明の線状光源装置によれば、さらに、保持部材と反射部材と押さえ部材とが共通のネジによってそれぞれが貫通された状態で固定されていることによって、反射部材や押さえ部材の位置ズレをより一層抑制することができる。従って、より一層高い位置精度で反射部材を配置させることができる。その結果、線状光源装置間の照度のバラツキをより一層抑制することができる。
【００１９】
本発明の線状光源装置によれば、さらに、保持部材および押さえ部材の少なくとも一方に迷光漏洩防止用の遮光部が形成されていることによって、反射部材における先端面と導光体の外周面との間の間隙から漏れる光を遮断することができる。これにより、当該間隙から光が放出されることによる迷光の発生を防止することができる。その結果、原稿面上の読取領域に迷光に起因する所望しない照度分布の光が照射されることを防止することができる。
【００２０】
本発明の線状光源装置によれば、さらに、保持部材および押さえ部材が黒色の樹脂材料により形成されていることによって、原稿面において反射された光を保持部材や押さえ部材によって吸収することができる。これにより、保持部材や押さえ部材によって反射された光が直接または導光体を介して再度原稿面に照射されることが防止される。
なお、原稿面において反射され、保持部材や押さえ部材を介して導光体に入射された光は、導光体から出射される光を光量のバラツキのあるものとする要因となる。そして、このような光量のバラツキのある光に起因する所望しない照度分布の光が原稿面上の読取領域に照射されると、原稿の色再現性が低くなってしまう。
【図面の簡単な説明】
【００２１】
【図１】本発明の第１の実施の形態に係る線状光源装置における要部の構成を示す説明用断面図である。
【図２】図１の線状光源装置における反射部材の構成を示す説明用断面図である。
【図３】図１の線状光源装置について、給電基板上に保持部材が配置された状態を示す平面図である。
【図４】図１の線状光源装置について、給電基板上に保持部材および反射部材が配置された状態を示す平面図である。
【図５】図１の線状光源装置について、給電基板上に保持部材、反射部材および押さえ部材が配置された状態を示す平面図である。
【図６】本発明の第２の実施の形態に係る線状光源装置における要部の構成を示す説明用断面図である。
【図７】図６の線状光源装置について、給電基板上に保持部材が配置された状態を示す平面図である。
【図８】図６の線状光源装置について、給電基板上に保持部材および反射部材が配置された状態を示す平面図である。
【図９】図６の線状光源装置について、給電基板上に保持部材、反射部材および押さえ部材が配置された状態を示す平面図である。
【図１０】図６の線状光源装置における要部の構成を、導光体を取り外した状態で分解して示す斜視図である。
【図１１】従来の原稿読取装置の一例における構成を示す説明用断面図である。
【図１２】従来の線状光源装置の一例における要部の構成を示す説明用断面図である。
【発明を実施するための形態】
【００２２】
＜第１の実施の形態＞
以下、本発明の線状光源装置の実施の形態について説明する。
図１は、本発明の第１の実施の形態に係る線状光源装置における要部の構成を示す説明用断面図、図２は、反射部材の構成を示す説明用断面図、図３〜図５は、給電基板上に保持部材、反射部材や押さえ部材が配置された状態を示す平面図である。
この線状光源装置は、例えばアクリル樹脂などの透光性樹脂よりなる棒状の導光体１０を有する。導光体１０には、その長手方向に垂直な断面における外周輪郭が円弧状の光出射面１１が、当該導光体１０の長手方向に沿って形成され、この光出射面１１に対向する周面には、微小プリズム群１２が形成されている。
導光体１０は、当該導光体１０の長手方向に沿って伸びる、例えばアルミニウムなどの剛性を有する金属よりなる基台（図示せず）に、直接または適宜の支持体を介して支持されている。
【００２３】
導光体１０の一端には、ＬＥＤ光源などよりなる発光素子１７が当該導光体１０の一端面１０Ａに対向するよう配置されている。具体的には、導光体１０の一端面１０Ａに対向するよう配置された給電基板１６上に発光素子１７が電気的に接続された状態で配置され、さらに、この発光素子１７を覆うよう、例えばシリコーン樹脂などの透光性を有する耐熱性樹脂よりなる半球状の封止体１８が設けられている。
【００２４】
給電基板１６は、銅などよりなる金属板上に、レジストなどの樹脂よりなる絶縁層を介して給電パターンが形成され、さらに当該給電パターンが絶縁層で覆われて構成されており、給電基板１６には、発光素子１７に電気を供給する電源（図示省略）が接続されている。
【００２５】
この例の線状光源装置は、導光体１０の長手方向に垂直な底板１９ａ（図１０参照）およびこの底板１９ａの周縁に連続して導光体１０の長手方向に沿って伸びる側板１９ｂ（図１０参照）を有し、断面がＬ字状の支持部材１９（図１０参照）を有する。支持部材１９は、例えばアルミニウムなどの金属よりなる。
そして、この支持部材１９における底板１９ａの表面に、給電基板１６が配置されて固定され、一方、支持部材１９における側板１９ｂは、導光体１０が固定される基台に当該導光体１０と共通に固定されている。
【００２６】
給電基板１６と導光体１０との間には、発光素子１７からの光を反射させて導光体１０の一端面１０Ａに入射させるための反射部材２０が設けられている。
反射部材２０は、導光体１０の長手方向に伸びる筒状の反射面形成部２１と、この反射面形成部２１の先端に連続して一体に形成された、導光体１０の長手方向と垂直な方向に伸びる板状の鍔部２３とを有する。反射面形成部２１の内面は、給電基板１６に接近して位置する基端から導光体１０に接近して位置する先端に向かうに従って拡径するテーパー状の反射面２２とされている。
【００２７】
反射部材２０は、アルミニウム板などの金属板を絞り加工することによって形成された金属製のものである。具体的には、絞り加工によって反射面形成部２１の反射面２２を構成する凹みが形成されると共に、この凹みの底面に基端の開口２１ａとなる貫通穴が形成されることによって得られたものである。
反射部材２０の基端の開口２１ａは、発光素子１７を内包する封止体１８の最大外径よりも大きな内径を有する。
反射部材２０の鍔部２３の形状および大きさは、反射面形成部２１を後述する保持部材３１の貫通穴３２に嵌めこんだときに当該鍔部２３が貫通穴３２に挿通されない形状および大きさを有している。
反射部材２０の反射面形成部２１における反射面２２の表面粗さＲａは、例えば０．０１〜０．５μｍである。
【００２８】
そして、反射部材２０は、当該反射部材２０の基端の開口２１ａ側に配置された保持部材３１と、当該反射部材２０の先端の開口２１ｂ側に配置された押さえ部材３５との間に当該反射部材２０の鍔部２３が挟持された状態で給電基板１６に対して固定されている。
【００２９】
保持部材３１は、例えば黒色のポリカーボネート樹脂などの樹脂材料よりなる、導光体１０の長手方向と垂直な方向に伸びる矩形の絶縁性基板の中央部に、反射部材２０の反射面形成部２１の最大外径よりも大きい内径を有する貫通穴３２が形成されている。また、この保持部材３１には、貫通穴３２と離間した位置に、２つのネジ穴３１ｈ、３１ｈが形成されている。
保持部材３１が絶縁性基板によって構成されていることにより、給電基板１６との絶縁性を確保することができる。
保持部材３１の厚み（導光体１０の長手方向の幅）は、反射面形成部２１の高さ（導光体１０の長手方向の長さ）よりも大きいものとされている。保持部材３１の厚みが反射面形成部２１の高さより大きいことにより、反射部材２０を位置合わせして給電基板１６に固定する際に、反射面形成部２１の基端面が給電基板１６の表面に接触して絶縁層が破壊されて給電パターンが損傷することを防止することができる。
【００３０】
押さえ部材３５は、例えば黒色のポリカーボネート樹脂などの樹脂材料よりなる、導光体１０の長手方向と垂直な方向に伸びる略矩形の絶縁性基板の中央部に、導光体１０の端部の外径に適合する内径を有する光透過用穴３６が形成されている。また、この押さえ部材３５には、光透過用穴３６と離間し、保持部材３１のネジ穴３１ｈ、３１ｈに対応する位置に、２つのネジ穴３５ｈ、３５ｈが形成されている。
押さえ部材３５の厚み（導光体１０の長手方向の幅）は、反射部材２０と導光体１０との間に当該導光体１０の膨張、収縮を考慮して設けられた空間の厚みよりも大きいものとされている。このような構成を有することにより、当該押さえ部材３５を迷光漏洩防止用の遮光部として作用させることができる。
【００３１】
本発明の線状光源装置において、反射部材２０および導光体１０は、発光素子１７が配置された給電基板１６に対して、以下の通りに設置されている。
すなわち、まず、保持部材３１を、当該保持部材３１の貫通穴３２に給電基板１６の封止体１８が挿入されると共に、ネジ穴３１ｈ、３１ｈが給電基板１６のネジ穴（図示せず）に対応する状態に給電基板１６に対して設置する。次いで、反射部材２０を、反射部材２０の反射面形成部２１が保持部材３１の貫通穴３２に挿入されると共に、当該反射面形成部２１の筒内に給電基板１６の封止体１８が挿入されて受容される状態に給電基板１６に対して設置する。さらに、押さえ部材３５を、当該押さえ部材３５の光透過用穴３６が反射部材２０の先端の開口２１ｂに対応し、かつ、ネジ穴３５ｈ、３５ｈが給電基板１６のネジ穴（図示せず）に対応するよう給電基板１６に対して積層する。そして、押さえ部材３５のネジ穴３５ｈ、３５ｈおよび保持部材３１のネジ穴３１ｈ、３１ｈ、および給電基板１６のネジ穴に、共通のネジ（図示せず）を挿通して締結することによって、反射部材２０の鍔部２３が保持部材３１および押さえ部材３５に挟持されて当該反射部材２０が固定されている。
また、押さえ部材３５の光透過用穴３６に導光体１０の一端部が挿入されて受容されることにより、反射部材２０が、反射面２２が発光素子１７と導光体１０との間の光路を包囲するよう配置されている。
【００３２】
線状光源装置の各部材の寸法の一例を挙げると、導光体１０は、全長が３４０ｍｍ、最大径が６．０ｍｍ、給電基板１６の寸法が７ｍｍ×２２ｍｍ×０．７ｍｍ、発光素子１７の寸法が３．０ｍｍ×４．５ｍｍ×２．０ｍｍ、封止体１８の最大外径が２．６ｍｍ、反射部材２０は、反射面形成部２１の高さが１．６ｍｍ、反射面形成部２１の基端の開口２１ａの内径が３．３ｍｍ、反射面形成部２１の先端の開口２１ｂの内径が４．５ｍｍ、反射部材２０の厚みが０．３ｍｍ、保持部材３１の寸法が２０ｍｍ×９．０ｍｍ×５．０ｍｍ、押さえ部材３５の寸法が１９ｍｍ×７．０ｍｍ×０．８ｍｍである。
【００３３】
上記の線状光源装置においては、発光素子１７から放射された光が、直接または反射部材２０の反射面２２に反射されながら、導光体１０の一端面１０Ａから当該導光体１０内に入射され、この入射光は、導光体１０によってその周面に反射されながら当該導光体１０の長手方向に導かれると共に、微小プリズム群１２によって光出射面１１に向かって反射され、この反射光が導光体１０の光出射面１１から出射され、例えば原稿台上に載置された原稿の原稿面に照射される。
【００３４】
而して、本発明の線状光源装置によれば、反射部材２０が絞り加工によって形成されているために、反射部材２０の反射面２２の鏡面性に固体差が生じることが抑制される。しかも、反射部材２０の鍔部２３が保持部材３１と押さえ部材３５との間に挟持された状態で当該反射部材２０が固定されているので、当該反射部材２０を大きな接触面積で押さえることができて大きな摩擦抵抗が得られる。従って、当該反射部材２０の変形やこれに伴う位置ズレを抑制することができて、反射部材２０の鏡面状態などの所期の光学性能が損なわれることが防止され、その結果、線状光源装置間の照度のバラツキを抑制することができる。
なお、絞り加工で形成された反射部材は、肉薄のものとなるため、ネジ止めすることによる変形やこれに伴う位置ズレが発生しやすい。具体的には、絞り加工で形成された反射部材をネジ止めすると、ネジと反射部材との接触面積はネジの頭部座面のみとなるので、ネジで締結する際の軸力により反射部材に過大な応力が加わってこれが屈曲してしまい、塑性変形が生じてしまう。さらに、温度変化、外部からの振動などの応力の変化や条件によっては、反射部材の塑性変形が進行してネジの締結力が損なわれてしまい、ネジが外れるおそれもある。このような変形や位置ズレが生じることによって、反射部材の鏡面状態に歪みが生じ、反射部材の鏡面性の固体差が大きくなってしまう。
【００３５】
本発明の線状光源装置によれば、さらに、保持部材３１と押さえ部材３５とが共通のネジによってそれぞれが貫通された状態で固定されていることによって、反射部材２０の位置ズレをより一層抑制することができる。従って、より一層高い位置精度で反射部材２０を配置させることができる。その結果、線状光源装置間の照度のバラツキをより一層抑制することができる。
【００３６】
本発明の線状光源装置によれば、さらに、押さえ部材３５に迷光漏洩防止用の遮光部が形成されていることによって、反射部材２０における先端面と導光体１０の外周面との間の間隙から漏れる光を遮断することができる。これにより、当該間隙から光が放出されることによる迷光の発生を防止することができる。その結果、原稿面上の読取領域に迷光に起因する所望しない照度分布の光が照射されることを防止することができる。
【００３７】
本発明の線状光源装置によれば、さらに、保持部材３１および押さえ部材３５が黒色の樹脂材料により形成されていることによって、原稿面において反射された光を保持部材３１や押さえ部材３５によって吸収することができる。これにより、保持部材３１や押さえ部材３５によって反射された光が直接または導光体を介して再度原稿面に照射されることが防止される。
なお、原稿面において反射され、保持部材３１や押さえ部材３５を介して導光体１０に入射された光は、導光体１０から出射される光を光量のバラツキのあるものとする要因となる。そして、このような光量のバラツキのある光に起因する所望しない照度分布の光が原稿面上の読取領域に照射されると、原稿の色再現性が低くなってしまう。
【００３８】
以上、本発明の第１の実施の形態について説明したが、本発明は上記の実施の形態に限定されず、種々の変更を加えることが可能である。
例えば、反射部材２０の鍔部２３が、保持部材３１のネジ穴３１ｈおよび押さえ部材３５のネジ穴３５ｈに対応する位置を覆う形状を有する場合には、これらのネジ穴３１ｈおよびネジ穴３５ｈに対応する位置に、ネジ穴が設けられた構成とすることができる。このような構成を有するものによれば、保持部材３１と反射部材２０と押さえ部材３５とを共通のネジによってそれぞれが貫通された状態で固定することができて、反射部材２０の位置ズレをより一層抑制することができる。
【００３９】
＜第２の実施の形態＞
図６は、本発明の第２の実施の形態に係る線状光源装置における要部の構成を示す説明用断面図、図７〜図９は、給電基板上に保持部材、反射部材や押さえ部材が配置された状態を示す平面図、図１０は、図６の線状光源装置における要部の構成を、導光体を取り外した状態で分解して示す斜視図である。
この線状光源装置は、保持部材５１、反射部材４０の鍔部４３および押さえ部材５５のそれぞれの外形形状が異なることを除き、第１の実施の形態に係る線状光源装置と同様の構成である。第１の実施の形態に係る線状光源装置と同様の構成を有するものを同じ符号で示す。
なお、図１０において、１３は給電基板１６に電気的に接続された回路基板であり、１４は、放熱フィン１４ａを有する放熱器、１４ｈおよび１６ｈはネジ穴である。
【００４０】
具体的には、反射部材４０は、第１の実施の形態に係る線状光源装置における反射部材２０と同様の構成の反射面形成部２１を有すると共に、鍔部４３として、一辺に係止用の切り欠き４３ａが形成されている。図８および図１０において、４０ｈはネジ穴である。
【００４１】
押さえ部材５５は、第１の実施の形態に係る線状光源装置における押さえ部材３５と同様の構成のネジ穴３５ｈを有し、第１の実施の形態に係る光透過用穴３６の代わりに、絶縁性基板の中央部に導光体１０の端部の外径形状に適合する円弧の一部を有する光透過用切り欠き５６が形成されている。そしてさらに、その外形の一辺に係止用の切り欠き５５ａが形成されると共に、当該一辺の対向する辺に係止用の突出部５５ｂが形成されている。
【００４２】
保持部材５１は、矩形の外縁の一辺の全長にわたって形成された反射部材４０および押さえ部材５５の係合用の凸部５３ａと、当該一辺の対向する辺の両端に形成された、押さえ部材５５の係止用の突出部５５ｂに対応する係合用の凸部５３ｂ、５３ｃとを有する。これらの係合用の凸部５３ａ、５３ｂ、５３ｃが形成されていることによって、保持部材５１には、これらに囲まれた部分に凹所５３ｄが形成されている。
また、保持部材５１の係合用の凸部５３ａには、凹所５３ｄ側に突出する状態に、反射部材４０の係止用の切り欠き４３ａに嵌合する形状の位置決め用突起５３ａ１が形成されると共に、押さえ部材５５の切り欠き５５ａに嵌合する形状の位置決め用突起５３ａ２が形成されている。これらの位置決め用突起５３ａ１、５３ａ２は、互いに異なる形状を有する。すなわち、反射部材４０の係止用の切り欠き４３ａおよび押さえ部材５５の切り欠き５５ａは異なる形状を有する。
【００４３】
保持部材５１の係合用の凸部５３ａの厚み（導光体１０の長手方向の大きさ）は、反射部材４０と導光体１０との間に、当該導光体１０の膨張、収縮を考慮して設けられた空間の厚みよりも大きいものとされている。このような構成を有することにより、当該保持部材５１の係合用の凸部５３ａを迷光漏洩防止用の遮光部として作用させることができる。
【００４４】
そして、第２の実施の形態に係る線状光源装置においては、反射部材４０が、係止用の切り欠き４３ａが保持部材５１の係合用の凸部５３ａの位置決め用突起５３ａ１に嵌合する状態に凹所５３ｄに嵌めこまれている。また、押さえ部材５５が、係止用の突出部５５ｂが保持部材５１の係合用の凸部５３ｂ、５３ｃに嵌合すると共に押さえ部材５５の切り欠き５５ａが保持部材５１の係合用の凸部５３ａの位置決め用突起５３ａ２に嵌合する状態に凹所５３ｄに嵌めこまれている。このような状態において、保持部材５１、反射部材４０および押さえ部材５５が、給電基板１６に対してネジ５８、５８によって締結されている。
【００４５】
このような線状光源装置によれば、第１の実施の形態に係る線状光源装置と同様の効果が得られると共に、反射部材４０や押さえ部材５５の位置ズレをより抑制することができる。従って、より高い位置精度で反射部材４０を配置させることができる。特に、保持部材５１に対して押さえ部材５５をネジ止めする場合に、これらの間に挟持される反射部材４０の回転が防止されるので、反射部材４０の鏡面状態などの所期の光学性能が損なわれることが防止される。その結果、線状光源装置間の照度のバラツキをより抑制することができる。
【００４６】
以上、本発明の第２の実施の形態について説明したが、本発明は上記の実施の形態に限定されず、種々の変更を加えることが可能である。
【符号の説明】
【００４７】
１０  導光体
１０Ａ  一端面
１１  光出射面
１２  微小プリズム群
１３  回路基板
１４  放熱器
１４ａ  放熱フィン
１４ｈ  ネジ穴
１６  給電基板
１６ｈ  ネジ穴
１７  発光素子
１８  封止体
１９  支持部材
１９ａ  底板
１９ｂ  側板
２０  反射部材
２１  反射面形成部
２１ａ  基端の開口
２１ｂ  先端の開口
２２  反射面
２３  鍔部
３１  保持部材
３２  貫通穴
３１ｈ  ネジ穴
３５  押さえ部材
３５ｈ  ネジ穴
３６  光透過用穴
４０  反射部材
４０ｈ  ネジ穴
４３  鍔部
４３ａ  切り欠き
５１  保持部材
５３ａ、５３ｂ、５３ｃ  凸部
５３ｄ  凹所
５３ａ１、５３ａ２  位置決め用突起
５５  押さえ部材
５５ａ  切り欠き
５５ｂ  突出部
５６  光透過用切り欠き
５８  ネジ
７０  線状光源装置
７１  原稿面
７２  反射面
７３  反射鏡
８０  導光体
８０Ａ  一端面
８１  光出射面
８４ａ、８４ｂ  微小プリズム群
８６  基板
８７  発光素子
９０  反射部材
９２  反射面
【図１】
0005954267.tif 000002
【図２】
0005954267.tif 000003
【図３】
0005954267.tif 000004
【図４】
0005954267.tif 000005
【図５】
0005954267.tif 000006
【図６】
0005954267.tif 000007
【図７】
0005954267.tif 000008
【図８】
0005954267.tif 000009
【図９】
0005954267.tif 000010
【図１０】
0005954267.tif 000011
【図１１】
0005954267.tif 000012
【図１２】
0005954267.tif 000013